(57)【特許請求の範囲】
【請求項１】
マイク入力に基づく音声信号とカラオケデータに基づく音声信号とライン入力に基づく音声信号を、合成／加工／調整（４０）にて処理して複数の音声信号を生成し、該生成した複数の音声信号（生成信号）に基づく複数の音声信号（出力信号）を音声出力装置へ出力するカラオケ音声制御装置であって、
前記複数の生成信号に対する調整レベルと、前記複数の出力信号の出力の可否と、前記複数の生成信号の中の所定の２つの生成信号の合成の可否とを、音声出力装置の機種に対応付けて、音声出力装置の機種毎に、記憶装置内の所定のテーブルに保持している機種別情報保持手段と、
前記複数の生成信号のレベルをそれぞれ調整するレベル調整器群と、
前記複数の出力信号の出力をそれぞれオン／オフする出力スイッチ群と、
前記所定の２つの生成信号の合成をオン／オフする合成スイッチと、
出力先とされた音声出力装置の機種に対応する調整レベルと出力の可否と合成の可否とを前記機種別情報保持手段から取得する機種別情報取得手段と、
前記機種別情報取得手段が取得した情報に応じて前記レベル調整器群と出力スイッチ群と合成スイッチとを制御する出力信号制御手段と、
を有することを特徴とするカラオケ音声制御装置。
【請求項２】
請求項１に於いて、
前記合成スイッチにより合成をオン／オフされる２つの生成信号は、マイク入力に基づく音声信号のみから前記合成／加工／調整（４０）により生成された生成信号（マイク入力系生成信号）以外の２つの生成信号である、
ことを特徴とするカラオケ音声制御装置。
【請求項３】
請求項１又は請求項２のカラオケ音声制御装置を備えたことを特徴とするカラオケ制御装置。
【発明の詳細な説明】
【０００１】
【発明の属する技術分野】
本発明は、カラオケ音声制御装置と、カラオケ制御装置とに関する。
【０００２】
【従来の技術】
カラオケシステムは、制御装置と、音声出力装置（スピーカー等）と、画像出力装置（ディスプレイ）から成る。
即ち、カラオケ音声制御装置とカラオケ画像制御装置とを備えたカラオケ制御装置と、カラオケ音声制御装置により与えられる音声信号に従って音声を出力する音声出力装置と、カラオケ画像制御装置により与えられる画像信号に従って画像を表示する画像出力装置とから成る。
【０００３】
カラオケ音声制御装置は、カラオケデータに基づいて生成した音声信号を、楽曲用の出力端子（楽曲端子）から出力して、音声出力装置の対応する入力端子へ入力させる。
また、カラオケ音声制御装置は、マイク入力される音声に基づいて生成した音声信号を、マイク用の出力端子（マイク端子）から出力して、音声出力装置の対応する入力端子へ入力させる。
また、カラオケ音声制御装置は、マイク入力される音声を加工処理（エコー効果等）して得た音声信号を、マイク加工音声用の出力端子（効果端子）から出力して、音声出力装置の対応する入力端子へ入力させる。
また、カラオケ音声制御装置は、ライン入力される音声信号（ＢＧＭ等）に基づいて生成した音声信号を、ライン入力音声用の出力端子（ＢＧＭ端子）から出力して、音声出力装置の対応する入力端子へ入力させる。
【０００４】
【発明が解決しようとする課題】
音声出力装置として複数の機種が提供されており、各機種が具備する入力端子の種別とその入力レベルが、機種毎に各々異なるという事情がある。
【０００５】
例えば、或る音声出力装置は、前記マイク端子から出力される音声信号を入力するための入力端子（前記マイク端子に対応する入力端子）を備えているが、前記効果端子から出力される音声信号を入力するための入力端子（前記効果端子に対応する入力端子）を備えていない。
これに対して、別の或る音声出力装置は、前記マイク端子から出力される音声信号を入力するための入力端子（前記マイク端子に対応する入力端子）と、前記効果端子から出力される音声信号を入力するための入力端子（前記効果端子に対応する入力端子）の両者を備えているが、前記ＢＧＭ端子から出力される音声信号を入力するための入力端子（前記ＢＧＭ端子に対応する入力端子）を備えていない、というような事情がある。
【０００６】
また、例えば、或る音声出力装置では、前記マイク端子に対応する入力端子の入力レベルは１．０（マイク入力と同等）に設定されており、前記楽曲端子に対応する入力端子の入力レベルは０．８に設定されている。
これに対して、別の或る音声出力装置では、前記マイク端子に対応する入力端子の入力レベルは０．７（マイク入力の０．７）に設定されており、前記楽曲端子に対応する入力端子の入力レベルは１．０に設定されている、というような事情がある。
【０００７】
このため、従来は、音声出力装置が持つ入力端子に対応する出力端子を備えたカラオケ音声制御装置を、既存の機種毎にそれぞれ製造する（各機種向けに仕様を固定したカラオケ音声制御装置をそれぞれ製造する）ことにより対応していたのであるが、このような対応は無駄が多い。
本発明は、既存の機種の全てに対応可能なカラオケ音声制御装置を提供することを目的とする。
【０００８】
【課題を解決するための手段】
請求項１の発明は、
マイク入力に基づく音声信号とカラオケデータに基づく音声信号とライン入力に基づく音声信号を、合成／加工／調整（４０）にて処理して複数の音声信号を生成し、該生成した複数の音声信号（生成信号）に基づく複数の音声信号（出力信号）を音声出力装置へ出力するカラオケ音声制御装置であって、
前記複数の生成信号に対する調整レベルと、前記複数の出力信号の出力の可否と、前記複数の生成信号の中の所定の２つの生成信号の合成の可否とを、音声出力装置の機種に対応付けて、音声出力装置の機種毎に、記憶装置内の所定のテーブルに保持している機種別情報保持手段と、
前記複数の生成信号のレベルをそれぞれ調整するレベル調整器群（１１，１３，１５，１７）と、
前記複数の出力信号の出力をそれぞれオン／オフする出力スイッチ群（２１，２３，２５，２７）と、
前記所定の２つの生成信号の合成をオン／オフする合成スイッチ（２９）と、
出力先とされた音声出力装置の機種に対応する調整レベルと出力の可否と合成の可否とを前記機種別情報保持手段から取得する機種別情報取得手段と、
前記機種別情報取得手段が取得した情報に応じて前記レベル調整器群（１１，１３，１５，１７）と出力スイッチ群（２１，２３，２５，２７）と合成スイッチ（２９）とを制御する出力信号制御手段と、
を有することを特徴とするカラオケ音声制御装置である。
請求項２の発明は、
請求項１に於いて、
前記合成スイッチにより合成をオン／オフされる２つの生成信号は、マイク入力に基づく音声信号のみから前記合成／加工／調整（４０）により生成された生成信号（マイク入力系生成信号）以外の２つの生成信号である、
ことを特徴とするカラオケ音声制御装置である。
【０００９】
請求項３の発明は、請求項１又は請求項２のカラオケ音声制御装置を備えたことを特徴とするカラオケ制御装置である。
【００１０】
【発明の実施の形態】
図１左欄は実施の形態のカラオケ音声制御装置を示すブロック図、右欄は左欄のカラオケ音声制御装置の音声信号の出力先である音声出力装置の機種Ａ〜Ｃを示す説明図である。図２は図１左欄のカラオケ音声制御装置の詳細を示すブロック図、図３左欄は出力端子切換・出力レベル設定手順を示すフローチャート、図３右欄は音声出力装置の各入力端子の種別及び入力レベルに相当する情報を音声出力装置の機種毎に保持しているテーブルを例示する説明図、図４はカラオケ画像制御装置と図１内のカラオケ音声制御装置とから構成されるカラオケ制御装置と、該カラオケ制御装置から入力される画像信号に基づいて画像を表示する画像出力装置と、上記カラオケ制御装置から入力される音声信号に基づいて音声を出力する音声出力装置と、を併せて示すブロック図である。
【００１１】
カラオケ音声制御装置は、図１及び図２に示すように、ＭＩＤＩ音源５３やＭＰＥＧオーディオ音源５５により生成される音声信号、マイク入力される音声に基づき端子５１を介して入力される音声信号、及び、他の装置から出力されてラインイン端子５７から入力されるＢＧＭ信号を、合成／加工／調整４０にて処理し、これにより生成された音声信号を、出力先の音声出力装置の機種に適合するように取捨選択及びレベル調整して、対応する出力端子（マイク端子３１／効果端子３３／楽曲端子３５／ＢＧＭ端子３７）から出力する装置である。
【００１２】
ＭＩＤＩ音源５３は、カラオケデータの中のＭＩＤＩデータに基づいて音声信号を生成する。このＭＩＤＩデータは、ユーザが選択した曲番号に対応するカラオケデータ（ＭＩＤＩデータ，ＭＰＥＧオーディオデータ，背景画像データ，歌詞データ等）を、カラオケ制御装置（図４参照）が、その補助記憶装置（図４参照；ハードディスク等で構成される）から読み出して、その中からＭＩＤＩデータを抽出して、ＭＩＤＩ音源５３に与えたものである。
【００１３】
ＭＰＥＧオーディオ音源５５は、カラオケデータの中のＭＰＥＧオーディオデータに基づいて音声信号を生成する。このＭＰＥＧオーディオデータは、ユーザが選択した曲番号に対応するカラオケデータを、カラオケ制御装置が、その補助記憶装置から読み出して、その中からＭＰＥＧオーディオデータを抽出して、ＭＰＥＧオーディオ音源５５に与えたものである。
【００１４】
合成／加工／調整４０では、上述のように生成される各音声信号（マイク入力の音声信号，ＭＩＤＩ音声信号，ＭＰＥＧオーディオ音声信号，ＢＧＭ信号）に対して、図２内の一点鎖線枠内に例示する処理が行われる。
【００１５】
例えば、ＭＰＥＧオーディオ音源５５が生成するＭＰＥＧオーディオ音声信号に対してカラオケデータに基づくレベル調整が行われ、このレベル調整後のＭＰＥＧオーディオ音声信号が、ＭＩＤＩ音源５３が生成するＭＩＤＩ音声信号と合成される。この合成後の音声信号は、操作キー（カラオケ制御装置の操作パネルに設けられている操作入力キー）の手動操作に応答して、適宜調整される。
【００１６】
上記の手動調整後の音声信号は、ＢＧＭ端子から入力され適宜に手動調整され更にカラオケデータに基づいてレベル調整された音声信号と、合成される。この合成信号は、セレクトに送られる。即ち、この合成信号と、ＢＧＭ端子から入力され適宜に手動調整された音声信号の何れか一方が、カラオケデータに基づいて制御されるセレクトにて選択される。
【００１７】
上記の合成信号は、また、マイク入力に基づく音声信号と合成される。マイク入力に基づく音声信号とは、端子５１から入力され適宜に手動調整され更にカラオケデータに基づいて加工（エコー等の効果処理）を施された音声信号と、端子５１から入力され適宜に手動調整され更にカラオケデータに基づいてレベル調整された音声信号である。
【００１８】
このように、合成／加工／調整４０では、マイク入力の音声信号、ＭＩＤＩ音声信号、ＭＰＥＧオーディオ音声信号、及びライン入力のＢＧＭ信号が、操作キーからのユーザの操作入力に応答して、及び／又は、カラオケデータの制御データに基づいて、適宜に調整／加工／合成される。なお、図２の合成／加工／調整は一例を示すものであり、本発明では、この合成／加工／調整処理をどのように行うかは任意である。
【００１９】
合成／加工／調整４０から主力される音声信号は、出力先として選定された音声出力装置の機種に応じて、レベル調整１１，１３，１５，１７にてレベル調整され、更に、スイッチ２１，２３，２５，２７にて出力の可否を決められる。このレベル調整・出力可否決定による取捨選択後の音声信号が、マイク端子３１／効果端子３３／楽曲端子３５／ＢＧＭ端子３７から、出力され、又は、出力されない。つまり、出力可の場合は出力され、出力否の場合は出力されない。
【００２０】
この出力レベル設定・出力先端子切換手順を、図３を参照して説明する。
まず、機種情報が取得される。接続先の音声出力装置の機種が何であるか（機種Ａ／機種Ｂ／機種Ｃ）は、例えば、カラオケ制御装置のディップスイッチにより予め設定されており、その情報がカラオケ制御装置内の記憶装置（補助記憶装置等）に保持されているものとする。なおディップスイッチに限定されず、他の操作キーや、メニュー画面での対話形式の入力による設定であってもよい。
【００２１】
また、機種情報が取得されると、当該機種のレベル調整データ（レベル調整１１，１３，１５，１７の設定値を決めるデータ）と、スイッチの状態データ（スイッチ２１，２３，２５，２７，２９のオン／オフ状態を決めるデータ）が、図３右欄のテーブルから取得される。
【００２２】
こうして取得したデータに基づいて、レベル調整１１，１３，１５，１７が設定され、且つ、スイッチ２１，２３，２５，２７，２９がオン／オフされる。
例えば、機種Ａであれば、マイク端子３１からレベル１．０のマイク音声信号が出力され、楽曲端子３５からレベル１．０の楽曲音声信号とレベル０．５のＢＧＭ音声信号を合成した楽曲・ＢＧＭ音声信号が出力されるが、効果端子３３とＢＧＭ端子３７からは音声信号は出力されない。
また、機種Ｂであれば、マイク端子３１からレベル１．０のマイク音声信号が出力され、楽曲端子３５からレベル１．０の楽曲音声信号が出力され、ＢＧＭ端子３７からレベル０．８のＢＧＭ音声信号が出力されるが、効果端子３３からは音声信号は出力されない。
また、機種Ｃであれば、効果端子３３からレベル１．０の効果音声信号が出力され、楽曲端子３５からレベル０．８の楽曲音声信号とレベル０．６のＢＧＭ音声信号を合成した楽曲・ＢＧＭ音声信号が出力されるが、マイク端子３１とＢＧＭ端子３７からは音声信号は出力されない。
以上のようにして、出力端子毎の出力レベルの設定と、出力端子の有効／無効とが、機種に応じて決められる。
【００２３】
【発明の効果】
請求項１の発明は、マイク入力に基づく音声信号とカラオケデータに基づく音声信号とライン入力に基づく音声信号を、合成／加工／調整（４０）にて処理して複数の音声信号を生成し、該生成した複数の音声信号（生成信号）に基づく複数の音声信号（出力信号）を音声出力装置へ出力するカラオケ音声制御装置であって、前記複数の生成信号に対する調整レベルと、前記複数の出力信号の出力の可否と、前記複数の生成信号の中の所定の２つの生成信号の合成の可否とを、音声出力装置の機種に対応付けて、音声出力装置の機種毎に、記憶装置内の所定のテーブルに保持している機種別情報保持手段と、前記複数の生成信号のレベルをそれぞれ調整するレベル調整器群と、前記複数の出力信号の出力をそれぞれオン／オフする出力スイッチ群と、前記所定の２つの生成信号の合成をオン／オフする合成スイッチと、出力先とされた音声出力装置の機種に対応する調整レベルと出力の可否と合成の可否とを前記機種別情報保持手段から取得する機種別情報取得手段と、前記機種別情報取得手段が取得した情報に応じて前記レベル調整器群と出力スイッチ群と合成スイッチとを制御する出力信号制御手段と、を有するため、出力先とされた音声出力装置の機種に適合する音声出力を実現できる出力信号を出力することができ、種々の音声出力装置に対応可能である。
請求項２の発明は、請求項１に於いて、前記合成スイッチにより合成をオン／オフされる２つの生成信号は、マイク入力に基づく音声信号のみから前記合成／加工／調整（４０）により生成された生成信号（マイク入力系生成信号）以外の２つの生成信号であるカラオケ音声制御装置であるため、出力先とされた音声出力装置の機種に適合する音声出力を実現できる出力信号を出力することができ、種々の音声出力装置に対応可能である。
【００２４】
請求項３の発明では、請求項１又は請求項２のカラオケ音声制御装置を備えたカラオケ制御装置を提供できる。
【図面の簡単な説明】
【図１】左欄は実施の形態のカラオケ音声制御装置の構成を示すブロック図。右欄は音声信号出力先の音声出力装置の機種を例示する説明図。
【図２】図１内のカラオケ音声制御装置の構成を示すブロック図。
【図３】左欄は出力端子切換・出力レベル設定の手順を示すフローチャート。右欄は音声出力装置の各入力端子の種別及び入力レベルに相当する情報を音声出力装置の機種毎に保持しているテーブルを例示する説明図。
【図４】カラオケ画像制御装置と図１内のカラオケ音声制御装置とから構成されるカラオケ制御装置と、該カラオケ制御装置から入力される画像信号に基づいて画像を表示する画像出力装置と、上記カラオケ制御装置から入力される音声信号に基づいて音声を出力する音声出力装置と、を併せて示すブロック図。
【符号の説明】
３１  マイク端子
３３  効果端子
３５  楽曲端子
３７  ＢＧＭ端子
【図１】
0003877604.tif 000002
【図２】
0003877604.tif 000003
【図３】
0003877604.tif 000004
【図４】
0003877604.tif 000005